(57)【要約】      （修正有）【課題】差込板部を差込可能な差込間隙の左右方向の長さを嵌入凹部の裏側の左右方向の一方部に存在する間隙設定部に至るまでの分を長くすることができ、バケットの大きさに対するツース部材の使用の融通性を高めることができるショベル系掘削機用ツース部材及びそのバケットを提供する。【解決手段】ツース部材３はアダプタが嵌入可能な嵌入凹部４及び掘削作用をなす歯板部５からなり、嵌入凹部の裏側の左右方向の一方部に間隙設定部７を突設し、間隙設定部の一方側部に歯板部を構成する差込板部８を形成し、間隙設定部の他方側部に歯板部を構成する裏側板部９を形成し、嵌合凹部の他方側部に裏側板部との間に差込板部を差込可能な差込間隙Ｈを存して押さえ板部１０を突設してなる。【選択図】図１
2010065421.tif 000002
【特許請求の範囲】
【請求項１】
ショベル系掘削機のバケットの掘削縁部にアダプタを介して着脱自在に突設されるツース部材であって、上記ツース部材は上記アダプタが嵌入可能な嵌入凹部及び掘削作用をなす歯板部からなり、該嵌入凹部の裏側の左右方向の一方部に間隙設定部を突設し、該間隙設定部の一方側部に該歯板部を構成する差込板部を形成し、該間隙設定部の他方側部に該歯板部を構成する裏側板部を形成し、該嵌合凹部の他方側部に該裏側板部との間に該差込板部を差込可能な差込間隙を存して押さえ板部を突設してなることを特徴とするショベル系掘削機用ツース部材。
【請求項２】
上記アダプタと上記嵌合凹部とを着脱ピンにより着脱自在に設けると共に上記差込板部及び裏側板部に上記ツース部材とアダプタとを着脱するための着脱ピンとの干渉を防ぐ逃げ部を形成してなることを特徴とする請求項１記載のショベル系掘削機用ツース部材。
【請求項３】
上記差込板部の下部に上記隣り合うツース部材の押さえ板部との干渉を防いで抜止隆起部を形成してなることを特徴とする請求項１又は２記載のショベル系掘削機用ツース部材。
【請求項４】
上記請求項１〜３のいずれか１項に記載のショベル系掘削機用ツースを複数個並列状に備えてなることを特徴とするショベル系掘削機用バケット。
【発明の詳細な説明】
【技術分野】
【０００１】
本発明はショベル系掘削機のバケットの掘削縁部に突設されるツース部材及びバケットに関するものである。
【背景技術】
【０００２】
従来、この種のツース部材として、ショベル系掘削機のバケットの掘削縁部にアダプタを介して着脱自在に下方に複数個並列状に配列突設され、土均し作業、砕土作業等の各種の対土作業を行う構造のものが知られている。
【特許文献１】特開２００４−１２４４１４号公報
【特許文献２】特許第３４７９４８９号公報
【発明の開示】
【発明が解決しようとする課題】
【０００３】
しかしながら上記従来構造の場合、上記ツース部材の上記アダプタが嵌入可能な嵌入凹部の左右方向の一方側部から延びる一方側板部の裏面に裏側段凹部を形成し、該嵌入凹部の左右方向の他方側部から延びる他方側板部の表面に表側段凹部を形成し、該裏側段凹部と隣り合うツース部材の表側段凹部とを相互に重ね合わせて配列する構造であり、このため、ツース部材と隣り合うツース部材との間の配列ピッチは裏側段凹部と隣り合うツース部材の表側段凹部との重合距離により制約を受ける構造であるから、構造上、裏側段凹部と隣り合うツース部材の表側段凹部との重合距離を長くすることができず、ツース部材間の配列ピッチを大きくすることができないことがあり、配列ピッチの融通性を低下させることがあり、サイズの異なる数種類のツース部材を用意しなければならないことがあるという不都合を有している。
【課題を解決するための手段】
【０００４】
本発明はこれらの不都合を解決することを目的とするもので、本発明のうちで、請求項１記載の発明は、ショベル系掘削機のバケットの掘削縁部にアダプタを介して着脱自在に突設されるツース部材であって、上記ツース部材は上記アダプタが嵌入可能な嵌入凹部及び掘削作用をなす歯板部からなり、該嵌入凹部の裏側の左右方向の一方部に間隙設定部を突設し、該間隙設定部の一方側部に該歯板部を構成する差込板部を形成し、該間隙設定部の他方側部に該歯板部を構成する裏側板部を形成し、該嵌合凹部の他方側部に該裏側板部との間に該差込板部を差込可能な差込間隙を存して押さえ板部を突設してなることを特徴とするショベル系掘削機用ツース部材にある。
【０００５】
又、請求項２記載の発明は、上記アダプタと上記嵌合凹部とを着脱ピンにより着脱自在に設けると共に上記差込板部及び裏側板部に上記ツース部材とアダプタとを着脱するための着脱ピンとの干渉を防ぐ逃げ部を形成してなることを特徴とするものであり、又、請求項３記載の発明は、上記差込板部の下部に上記隣り合うツース部材の押さえ板部との干渉を防いで抜止隆起部を形成してなるものである。
【０００６】
又、請求項６記載の発明は、上記請求項１〜３のいずれか１項に記載のショベル系掘削機用ツースを複数個並列状に備えてなることを特徴とするショベル系掘削機用バケットにある。
【発明の効果】
【０００７】
本発明は上述の如く、請求項１又は請求項４記載の発明にあっては、嵌入凹部の裏側の左右方向の一方部に間隙設定部を突設すると共に間隙設定部の一方側部に歯板部を構成する差込板部を形成する構造としているので、差込板部を差込可能な差込間隙の左右方向の長さを嵌入凹部の裏側の左右方向の一方部に存在する間隙設定部に至るまでの分を長くすることができ、すなわち、嵌入凹部の裏側の左右方向の他方部に至るまでの分を長くすることができ、ツース部材と隣り合うツース部材との間の配列ピッチを大きくすることができ、それだけ、バケットの掘削縁部の長さに対する融通性を高めることができ、バケットの大きさに対するツース部材の使用の融通性を高めることができる。
【０００８】
又、請求項２記載の発明にあっては、上記アダプタと上記嵌合凹部とを着脱ピンにより着脱自在に設けると共に上記差込板部及び裏側板部に上記ツース部材とアダプタとを着脱するための着脱ピンとの干渉を防ぐ逃げ部を形成してなるから、上記ツース部材と隣り合うツース部材との配列ピッチを最小にしたとしても、逃げ部が存在することにより着脱ピンの表側から裏側への抜脱を行うことができ、又、請求項３記載の発明にあっては、上記差込板部の下部に上記隣り合うツース部材の押さえ板部との干渉を防いで抜止隆起部を形成してなるから、隣り合うツース部材の押さえ板部と差込板部と抜止隆起部との衝接により隣り合うツース部材の離脱を防ぐことができる。
【発明を実施するための最良の形態】
【０００９】
図１乃至図１３は本発明の実施の形態例を示し、１はショベル系掘削機のバケットであって、図７の如く、このバケット１の底板の掘削縁部１ａに複数個のアダプタ２が複数個並列状に溶接固定され、各アダプタ２に左端ツース部材Ｌ、２個のツース部材３及び右端ツース部材Ｒがバケット１の先端方向の下方に向いて着脱自在に突設されている。
【００１０】
この場合、ツース部材３は、上記アダプタ２が嵌入可能な嵌入凹部４及び掘削作用をなす歯板部５からなり、図４、図１０の如く、上記アダプタ２の先端部に先細りの挿入部２ａ及び縦角穴２ｂを形成し、上記ツース部材３の嵌入凹部４に先細りの嵌入穴部４ａ及び縦角穴４ｂ・４ｂを形成し、この嵌入穴部４ａに挿入部２ａを挿入し、縦角穴２ｂに角状の弾性材６を嵌入すると共に縦角穴４ｂ・４ｂ及び縦角穴２ｂに角状の着脱ピン４ｃを圧入し、この着脱ピン４ｃの挿脱によりツース部材３をアダプタ２に嵌入凹部４を介して着脱自在に構成している。
【００１１】
この場合、上記嵌入凹部４の裏側の左右方向の一方部に間隙設定部７を突設し、間隙設定部７の一方側部に歯板部５を構成する差込板部８を形成し、間隙設定部７の他方側部に歯板部５を構成する裏側板部９を形成し、嵌合凹部４の他方側部に裏側板部９との間に差込板部８を差込可能な差込間隙Ｈを存して押さえ板部１０を突設して構成している。
【００１２】
この場合、上記アダプタ２と上記嵌合凹部４とを着脱ピン４ｃにより着脱自在に設けると共に上記差込板部８及び裏側板部９に上記ツース部材３とアダプタ２とを着脱するための着脱ピン４ｃとの干渉を防ぐ逃げ部８ａ・９ａを形成している。
【００１３】
又、この場合、上記差込板部８の下部に上記隣り合うツース部材３の押さえ板部１０との干渉を防いで抜止隆起部１１を形成している。
【００１４】
この実施の形態例は上記構成であるから、ショベル系掘削機のバケット１の掘削縁部１ｃにアダプタ２・２・・を複数個並列状に固定し、上記ツース部材は上記アダプタ２が嵌入可能な嵌入凹部４及び掘削作用をなす歯板部５からなり、嵌入凹部４の裏側の左右方向の一方部に間隙設定部７を突設し、間隙設定部７の一方側部に歯板部５を構成する差込板部８を形成し、間隙設定部７の他方側部に歯板部５を構成する裏側板部９を形成し、嵌合凹部４の他方側部に裏側板部９との間に差込板部８を差込可能な差込間隙Ｈを存して押さえ板部１０を突設しているので、例えば、図８、図１１の如く、右端ツース部材Ｒの裏側板部９と押さえ板部１０との間の差込間隙Ｈに隣り合うツース部材３の差込板部８を差し込み、このツース部材３の裏側板部９と押さえ板部１０との間の差込間隙Ｈに隣り合うツース部材３の差込板部８を差し込み、このツース部材３の裏側板部９と押さえ板部１０との間の差込間隙Ｈに隣り合うツース部材３の差込板部８を差し込み、このツース部材３の裏側板部９と押さえ板部１０との間の差込間隙Ｈに隣り合う左端ツース部材Ｌの差込板部８を差し込み、これら右端ツース部材Ｒ、二個のツース部材３・３及び左端ツース部材Ｌの４個ツース部材Ｒ・３・３・Ｌを相互に差し込んだ状態で４個の各アダプタ２・２・・に各ツース部材Ｒ・３・３・Ｌを挿入して取り付けることになる。
【００１５】
この際、特に、嵌入凹部４の裏側の左右方向の一方部に間隙設定部７を突設すると共に間隙設定部７の一方側部に歯板部５を構成する差込板部８を形成する構造としているので、差込板部８を差込可能な差込間隙Ｈの左右方向の長さを嵌入凹部４の裏側の左右方向の一方部に存在する間隙設定部７に至るまでの分を長くすることができ、すなわち、嵌入凹部４の裏側の左右方向の他方部に至るまでの分を長くすることができ、ツース部材Ｌと隣り合うツース部材Ｌとの間の配列ピッチを大きくすることができ、それだけ、バケット１の掘削縁部の長さに対する融通性を高めることができ、バケット１の大きさに対するツース部材３の使用の融通性を高めることができる。
【００１６】
この場合、上記アダプタ２と上記嵌合凹部４とを着脱ピン４ｃにより着脱自在に設けると共に上記差込板部８及び裏側板部９に上記ツース部材３とアダプタ２とを着脱するための着脱ピン４ｃとの干渉を防ぐ逃げ部８ａ・９ａを形成してなるから、図１１、図１２、図１３の如く、上記ツース部材３と隣り合うツース部材３との配列ピッチを最小にしたとしても、逃げ部８ａ・９ａが存在することにより着脱ピン４ｃの表側から裏側への抜脱を行うことができ、又、この場合、上記差込板部８の下部に上記隣り合うツース部材３の押さえ板部１０との干渉を防いで抜止隆起部１１を形成してなるから、隣り合うツース部材３の押さえ板部１０の下辺部と抜止隆起部１１との衝接により隣り合うツース部材３の離脱を防ぐことができると共に歯板部５の掘削部側を補強することができて使用の耐久性を高めることができる。
【００１７】
尚、本発明は上記実施の形態例に限られものではなく、例えばバケット１、アダプタ２、ツース部材３、嵌入凹部４、歯板部５、間隙設定部７、差込板部８、裏側板部９、押さえ板部１０の構造、形態、形成位置、材質等は適宜設計して変更されるものである。
【００１８】
以上、所期の目的を充分達成することができる。
【図面の簡単な説明】
【００１９】
【図１】本発明の実施の形態例の表面斜視図である。
【図２】本発明の実施の形態例の裏面正面図である。
【図３】本発明の実施の形態例の裏面斜視図である。
【図４】本発明の実施の形態例の表面の正面図である。
【図５】本発明の実施の形態例の使用状態の分離斜視図である。
【図６】本発明の実施の形態例の平面図である。
【図７】本発明の実施の形態例の平断面図である。
【図８】本発明の実施の形態例の使用状態の正面図である。
【図９】本発明の実施の形態例の使用状態の横断面図である。
【図１０】本発明の実施の形態例の使用状態の横断面図である。
【図１１】本発明の実施の形態例の使用状態の正面図である。
【図１２】本発明の実施の形態例の使用状態の平面図である。
【図１３】本発明の実施の形態例の使用状態の正断面図である。
【符号の説明】
【００２０】
Ｈ    差込間隙
１    バケット
２    アダプタ
３    ツース部材
４    嵌入凹部
４ｃ    着脱ピン
５    歯板部
７    間隙設定部
８    差込板部
８ａ    逃げ部
９    裏側板部
９ａ    逃げ部
１０    押さえ板部
１１    抜止隆起部
【図１】
2010065421.tif 000003
【図２】
2010065421.tif 000004
【図３】
2010065421.tif 000005
【図４】
2010065421.tif 000006
【図５】
2010065421.tif 000007
【図６】
2010065421.tif 000008
【図７】
2010065421.tif 000009
【図８】
2010065421.tif 000010
【図９】
2010065421.tif 000011
【図１０】
2010065421.tif 000012
【図１１】
2010065421.tif 000013
【図１２】
2010065421.tif 000014
【図１３】
2010065421.tif 000015